(57)【特許請求の範囲】
【請求項１】
不織布及び繊維を含む複数の清掃体を収容するための清掃体用収容袋であって、
当該清掃体収容袋は、溶着性フィルムによって略直方体に形成されており、また各辺のうち互いに平行に延在する４つの長辺上に設けられた第１の剛性領域と、前記４つの長辺を結ぶ辺上に設けられた第２の剛性領域と、前記複数の清掃体が収容される収容空間と、互いに隣接する２つの前記長辺によって区画された４つの延在面と、を備え、
前記第１の剛性領域は、前記溶着性フィルムが前記長辺に沿って山折りされ、折り重なり部分が溶着された山折り部により形成され、
前記４つの延在面のうちの互いに対向する２つの対向面は、当該対向面が当該清掃体収容袋内側へと凹むように前記長辺の延在方向に形成された折り線を備え、前記山折り部は、前記対向面と交差する方向へと突出するように構成されていることを特徴とする清掃体用収容袋。
【請求項２】
請求項１に記載の清掃体用収容袋であって、
前記２つの対向面のうちのいずれか一方の対向面は、当該対向面を前記折り線に沿って開裂させるための開裂部を有することを特徴とする清掃体用収容袋。
【請求項３】
請求項２に記載の清掃体用収容袋であって、
前記２つの対向面のうちのいずれか一方の対向面は、当該対向面が前記開裂部にて開裂したときに形成される長尺状の開口部と、前記開口部を挟んでその両側に形成される分断片を含み、前記分断片は、前記山折り部の剛性によって当該清掃体収容袋内側へと延在した状態が維持されるように構成されていることを特徴とする清掃体用収容袋。
【請求項４】
請求項１から３のうちのいずれか一項に記載の清掃体用収容袋であって、
前記収容空間に、比容積が１０〜６０ｃｍ３／ｇの前記清掃体が収容されることを特徴とする清掃体用収容袋。
【請求項５】
請求項１から４のうちのいずれか一項に記載の清掃体用収容袋と、前記清掃体用収容袋の前記収容空間に収容された前記複数の清掃体とを有し、前記複数の清掃体は、不織布及び繊維を含む所定厚みの複数のシート状部材が積層された１又は複数の積層体を形成していることを特徴とする清掃体パッケージ。
【発明の詳細な説明】
【技術分野】
【０００１】
本発明は、不織布及び繊維を含む複数の清掃体を収容するための清掃体用収容袋に関するものである。
【背景技術】
【０００２】
特開２００７−２９１３６号公報には、繊維層と例えば不織布からなるシートとを含む清掃体に把手が装着されるように構成された清掃用具が開示されている。この清掃体は、一般的にその複数が所定の包装袋等に収容された状態で運搬や販売が行われる。一方、特開２００２−１７９１６４号公報には、シート状部材を収容するシート収容容器が開示されている。このシート収容容器は、シート状部材として特にテッシュペーパーを収容するように構成されているが、不織布及び繊維を含む上記の清掃体のように比容積の大きい被収容物を収容する場合には、外部から収容袋に作用する荷重等によって収容状態の被収容物が潰れてしまい、使用時にそのまま本体の機能を発揮できないという問題が生じる。そこでこの種の清掃体用収容袋の設計に際しては、清掃体収容状態で清掃体本来の形状が変化するのを抑えるための構成が要請される。
【先行技術文献】
【特許文献】
【０００３】
【特許文献１】特開２００７−２９１３６号公報
【特許文献２】特開２００２−１７９１６４号公報
【発明の開示】
【発明が解決しようとする課題】
【０００４】
そこで、本発明は、かかる点に鑑みてなされたものであり、不織布及び繊維を含む複数の清掃体を収容するための清掃体用収容袋において、清掃体収容状態で清掃体本来の形状の変化を抑えるのに有効な技術を提供することを課題とする。
【課題を解決するための手段】
【０００５】
上記課題を達成するため、各請求項に記載の発明が構成される。
【０００６】
本発明にかかる清掃体用収容袋は、不織布及び繊維を含む複数の清掃体を収容するための収容袋として構成される。この収容袋は、溶着性フィルムによって略直方体に形成され、第１の剛性領域、第２の剛性領域及び収容空間を備える。第１の剛性領域は、収容袋を構成する各辺のうち互いに平行に延在する４つの長辺上に設けられた剛性領域として構成される。第２の剛性領域は、４つの長辺を結ぶ辺上に設けられた剛性領域として構成される。収容空間は、複数の清掃体が収容される領域として構成される。このような構成によれば、長辺の延在方向に関しても長辺と交差する方向に関しても、第１の剛性領域及び第２の剛性領域を介して清掃体用収容袋の剛性を高められることで、清掃体用収容袋の保形性ないし耐久性が高まり、これにより収容空間に収容された状態の清掃体本来の形状の変化を抑えることが可能となる。また、軽量化を実現するべく相対的に薄手のフィルムを用いても収容袋全体に張りをもたせることができ、また収容袋にシワがより難い。また、清掃体用収容袋が略直方体であるため、当該収容袋を搬送時や保管時に自立させ易い。
【０００７】
第１の剛性領域及び第２の剛性領域はいずれも、フィルム厚みを厚くする剛性化処理とフィルム硬度を高める剛性化処理のうちの少なくとも一方の処理によって形成される。即ち、第１の剛性領域及び第２の剛性領域はいずれも、フィルム厚みを厚くする剛性化処理とフィルム硬度を高める剛性化処理のいずれか一方の処理によって形成されてもよいし、或いはフィルム厚みを厚くする剛性化処理とフィルム硬度を高める剛性化処理の双方の処理によって形成されてもよい。この場合、フィルム硬度を高める剛性化処理として、典型的には、溶着性フィルムを溶融・硬化させることによって剛性を高める第１の処理、溶着性フィルムに折り目を付けることで、当該フィルムの構造上の強度をアップさせ、乃至は当該フィルムの性状を化学的に変化させて剛性を高める第２の処理、また第１の処理と第２の処理とを組み合わせた第３の処理等を用いることができる。このような構成によれば、第１の剛性領域及び第２の剛性領域を形成する際に、フィルム厚みを厚くする剛性化処理やフィルム硬度を高める剛性化処理を適宜選択することが可能となる。
【０００８】
本発明では、第１の剛性領域は、溶着性フィルムが長辺に沿って山折りされ、折り重なり部分が溶着された山折り部により形成されている。このような構成によれば、溶着性フィルムを用いて第１の剛性領域を簡便に形成することが可能となる。また、長辺全体にわたって剛性化処理がなされるため、清掃体用収容袋の保形性をより確実に高めることが可能となる。
【０００９】
また、本発明は、互いに隣接する２つの長辺によって区画された４つの延在面を含んでいる。４つの延在面のうちの互いに対向する２つの対向面は、当該対向面が清掃体収容袋内側へと凹むように長辺の延在方向に形成された折り線を備え、山折り部は、対向面と交差する方向へと突出するように構成されている。このような構成によれば、いずれか一方の対向面を清掃体収容袋の底面とした場合に、山折り部を清掃体収容袋の脚部として構成することができ、清掃体収容袋の自立性を向上させることが可能となる。このような特徴は、特に清掃体が収容された清掃体収容袋を店頭に陳列する際に有効である。
【００１０】
また本発明に係る更なる形態の清掃体用収容袋では、２つの対向面のうちのいずれか一方の対向面は、当該対向面を折り線に沿って開裂させるための開裂部を有するのが好ましい。このような構成によれば、２つの対向面のうち開裂部を有している一方の対向面を清掃体収容袋の上面とし、開裂部を有していない他方の対向面を清掃体収容袋の下面とすることで、清掃体収容袋から清掃体を取り出し易い設置態様を実現することができる。
【００１１】
また本発明に係る更なる形態の清掃体用収容袋では、２つの対向面のうちのいずれか一方の対向面は、当該対向面が開裂部にて開裂したときに形成される長尺状の開口部と、開口部を挟んでその両側に形成される分断片を含み、分断片は山折り部の剛性によって清掃体収容袋内側へと延在した状態が維持されるように構成されるのが好ましい。このような構成によれば、分断片が開口部を通じて取り出し中の清掃体とは別の清掃体と干渉することによって、別清掃体を収容空間に留まらせる保持機能、或いは別清掃体が収容空間外へと離脱するのを規制するストッパー機能を果たす。これにより、使用者の意図に反して一度に多くの清掃体が取り出されるのを阻止でき、清掃体を一枚ずつ（１シートずつ）確実に取り出すことが可能となる。
【００１２】
また本発明に係る更なる形態の清掃体用収容袋は、収容空間に比容積が１０〜６０ｃｍ３／ｇの清掃体が収容されるのが好ましい。このような構成によれば、比容積が比較的大きい清掃体であっても、当該清掃体の嵩やふわふわ感を維持した状態での収容が可能となる。
【００１３】
本発明に係る清掃体パッケージは、前記の清掃体用収容袋と、当該清掃体用収容袋の収容空間に収容された複数の清掃体とを有し、複数の清掃体は、不織布及び繊維を含む所定厚みの複数のシート状部材が積層された１又は複数の積層体を形成する構成であるのが好ましい。このような構成によれば、清掃体用収容袋の剛性を高めることで収容空間に収容された複数の清掃体の本来の形状の変化を抑えることが可能となる。
【発明の効果】
【００１４】
以上のように、本発明によれば、不織布及び繊維を含む複数の清掃体を収容するための清掃体用収容袋において、清掃体収容状態で清掃体本来の形状の変化を抑えることが可能となった。
【図面の簡単な説明】
【００１５】
【図１】本実施の形態の清掃体用収容袋１０の全体構造を示す斜視図である。
【図２】図１中の清掃体用収容袋１０の平面図である。
【図３】図１中の清掃体用収容袋１０を矢印Ａ方向から視た様子を示す図である。
【図４】図１中の清掃体用収容袋１０を矢印Ｂ方向から視た様子を示す図である。
【図５】図２中の清掃体用収容袋１０のＣ−Ｃ線に関する断面構造を示す図である。
【図６】図５中の断面構造において、一方の第３折り線２６が開裂部２６ａに沿って開裂した開裂状態を示す図である。
【図７】図６中の一方の第３折り線２６の開裂状態を、図１中の矢印Ａ方向から視た様子を示す図である。
【図８】図１中の清掃体用収容袋１０の収容空間１０ａに収容される清掃体１００の断面構造を示す図である。
【発明を実施するための形態】
【００１６】
以下、本発明に係る「清掃体用収容袋」の一実施形態について、図面を参照しつつ詳細に説明する。
【００１７】
本実施の形態の清掃体用収容袋１０の全体構造については、図１〜図４が参照される。図１に示すように、清掃体用収容袋１０は、複数の清掃体１００のための密閉状の収容空間１０ａを有し、少なくとも１２の辺を含む略直方体（断面形状が略長方形）の袋状部材として構成されている。この袋状部材は、まち付の「ガセット袋」とも称呼される。この清掃体用収容袋１０は略直方体であるため、当該収容袋を搬送時や保管時に自立させ易いという作用効果を奏する。この清掃体用収容袋１０は、収容状態の清掃体１００が視認可能となるように、透明ないし半透明のフィルム（薄膜体）によって構成されるのが好ましい。
【００１８】
上記の収容空間１０ａは、互いに対向する３組の対向面、即ち第１の方向Ｄ１に関して互いに対向する第１延在面１１，１１、第２の方向Ｄ２に関して互いに対向する第２延在面１２，１２、及び第３の方向Ｄ３に関して互いに対向する第３延在面１３，１３によって区画される。本実施の形態では、清掃体用収容袋１０の収容空間１０ａに、平面視が略長方形の複数の清掃体１００が第１の方向Ｄ１に関して積層されて、第３の方向Ｄ３に２列で収容されている。この収容状態では、複数の清掃体１００の積層体の上面及び下面がいずれも第１延在面１１と対向しており、また当該積層体の短辺側が第２延在面１２と対向し、且つ当該積層体の長辺側が第３延在面１３と対向している。ここでいう収容空間１０ａは、複数の清掃体１００が収容される領域であり、本発明における「収容空間」に相当する。
【００１９】
清掃体用収容袋１０は、エッジシール部２１、背張りシール部２２、エンドシール部２３、第１折り線２４、第２折り線２５及び第３折り線２６を含むように構成されている。
【００２０】
エッジシール部２１は、特に図１が参照されるように、第１延在面１１と第２延在面１２との境界部に形成されたシール部分（接合部分）として構成されている。本実施の形態では、このエッジシール部２１は、いずれも第３の方向Ｄ３へと互いに平行に延在する４つの長辺１４（直方体の長辺）上にそれぞれ設けられている。即ち、長辺１４上の全体にわたってエッジシール部２１が連続的に形成されている。背張りシール部２２は、特に図１及び図２が参照されるように、一方の第１延在面１１とその両側の２つの第３延在面１３，１３にわたって第３の方向Ｄ３へと延在するシール部分（接合部分）として構成される。エンドシール部２３は、特に図１及び図４が参照されるように、各第３延在面１３において第２の方向Ｄ２へと延在するシール部分（接合部分）として構成される。上記の各シール部２１，２２，２３は、所定のシール幅を有する１又は複数の直線、刃形、鋸刃形、非連続状のドット形のような形状を用いて、連続的又は断続的に構成されるのが好ましい。
【００２１】
第１折り線２４は、特に図１が参照されるように、各第３延在面１３においてエンドシール部２３を規定するべく第２の方向Ｄ２へと延在する折り目（山折り処理がなされた「山折りの罫線」ともいう）として構成される。第２折り線２５は、特に図１及び図３が参照されるように、第１延在面１１と第３延在面１３との境界部において第２の方向Ｄ２へと延在し、且つ第２延在面１２と第３延在面１３との境界部において第１の方向Ｄ１へと延在する折り目（山折り処理がなされた「山折りの罫線」ともいう）として構成される。即ち、この第２折り線２５は、４つの長辺１４を結ぶ辺１５上に第３延在面１３に沿って（長辺１４の延在方向と交差する方向に）環状に形成されている。第３折り線２６は、特に図１及び図３が参照されるように、各第２延在面１２の第１の方向Ｄ１に関する中央部分において、第３の方向Ｄ３へと延在する折り目（山折り処理がなされた「山折りの罫線」ともいう）として構成される。これら第１折り線２４、第２折り線２５及び第３折り線２６はいずれも、典型的には溶着性フィルムに対して山折り処理によって折り目を付与した上で、更に当該溶着性フィルムの表面を熱ないし超音波で溶融・硬化させて形付けすることによって形成されている。これらの折り線２４，２５，２６には、清掃体用収容袋１０の各平面部分よりもフィルム硬度が高められる剛性化処理がなされており、結果的に相対的の剛性が高い高剛性領域を形成している。即ち、これらの折り線２４，２５，２６を含む領域は、溶着性フィルムに折り目が付けられる第１の処理によって、当該フィルムの構造上の強度がアップし、乃至は当該フィルムの性状が化学的に変化することによって剛性が高まり、更に溶着性フィルムを溶融・硬化させる第２の処理によって剛性が高まることとなる。この場合、本実施の形態では、折り線２４，２５，２６のための剛性化処理として、上記の第１の処理及び第２の処理の少なくとも一方の処理を適宜に用いるのが好ましい。特に第２折り線２５は、４つの長辺１４を結ぶ辺１５上に設けられた剛性領域であり、本発明における「第２の剛性領域」に相当する。
【００２２】
また、図１及び図２が参照されるように、上記構成の清掃体用収容袋１０では、エンドシール部２３に、１又は複数のノッチ３１及びフック穴３２を設けるのが好ましい。ノッチ３１は、典型的にはＶ字状に形成された切り欠き部分として構成されており、清掃体用収容袋１０の開封を容易に行うための開封用として使用される。フック穴３２は、典型的には円形の貫通孔として構成されており、店頭での陳列時等に清掃体用収容袋１０を吊り下げるのに使用される。なお、これらのノッチ３１やフック穴３２は、必要に応じて省略することもできる。
【００２３】
ここで、上記構成のエッジシール部２１及び第３折り線２６の更なる具体的な構成については、図２中の清掃体用収容袋１０のＣ−Ｃ線に関する断面構造を示す図５が参照される。図５に示すように、各エッジシール部２１は、溶着性フィルムをその内壁面同士が互いに密着するように長辺１４に沿って合掌状に山折りして、その折り重なり部分を熱ないし超音波で溶着・硬化させることで形成された山折り部として構成されている。これにより、このエッジシール部２１は、清掃体用収容袋１０の各平面部分よりもフィルム厚みを厚くし、且つフィルム硬度を高めるような剛性化処理がなされており、結果的に相対的の剛性が高い高剛性領域を形成している。ここでいうエッジシール部２１が、本発明における「第１の剛性領域」に相当する。その結果、清掃体用収容袋１０を略直方体に保持することができ、保形性ないし耐久性を高めることが可能となる。特に軽量化を実現するべく相対的に薄手のフィルムを用いても収容袋全体に張りをもたせることでき、また当該収容袋にシワがより難い。また、溶着性フィルムを用いてエッジシール部２１を簡便に形成することが可能となる。また、長辺１４全体にわたって剛性化処理がなされるため、清掃体用収容袋１０の保形性をより確実に高めることが可能となる。この場合、溶着性シートとして典型的には、溶着が可能な樹脂、例えばＰＥＴ／ＣＰＰ、ＯＰＰ／ＣＰＰ、ＨＳＯＰＰ／ＣＰＰ、ＰＥＴ／ＰＥ等の合成樹脂を主体としたフィルム材料、アート紙やコート紙等の紙材、紙材とＰＥ或いはＡＬ等を組み合わせた紙ラミネート材を好適に用いることができる。
【００２４】
各エッジシール部２１は、その山折り部が第２延在面１２と交差する方向に突出した突出構造を有するのが好ましい。各エッジシール部２１のこの突出構造は、第２延在面１２が収容袋内側へとＵ字状ないしＶ字状に凹んだ形状となるように、第３折り線２６を構成することによって実現できる。即ち、第１延在面１１，１１及び第２延在面１２，１２は、略直方体のうち隣接する２つの長辺１４によって区画された延在面として構成されているが、これら４つの延在面のうち互いに対向する２つの第２延在面１２，１２が、当該延在面が収容袋内側へと凹むように長辺１４の延在方向に形成された第３折り線２６を含む。ここでいう２つの第２延在面１２，１２が、本発明における「２つの対向面」に相当し、また第３折り線２６が、本発明における「折り線」に相当する。これにより、各第２延在面１２の２つのエッジシール部２１，２１が、清掃体用収容袋１０を自立させる際の脚部としての機能を果たすことになり、清掃体用収容袋１０の自立性を向上させることが可能となる。この場合、当該自立性の向上効果を高めるべく、各エッジシール部２１のシール幅（図５中のシール幅ｄ）を１〜１０ｍｍに設定するのが好ましい。このような特徴は、特に清掃体１００が収容された収容袋１０を店頭に陳列する際に有効である。必要に応じては、各エッジシール部２１のシール幅を１ｍｍ以下に設定することもできる。
【００２５】
一方では、図５に示すように、２つの第２延在面１２の一方では更に、第３折り線２６上に開裂部２６ａが設けられており、当該第３折り線２６はこの開裂部２６ａに沿って開裂できるように構成されている。即ち、第３折り線２６上の全体にわたって開裂部２６ａが連続的に形成されている。この結果、図６及び図７に示すように、開裂部２６ａを含む一方の第２延在面１２に、所定の清掃体１００を優先的に取り出すための開口部１０ｂが形成される。この開口部１０ｂは、特に図７が参照されるように、長辺１４の延在方向（第３の方向Ｄ３）に沿って長尺状に延在する開口部分として構成される。ここでいう開裂部２６ａ及び開口部１０ｂがそれぞれ、本発明における「開裂部」及び「開口部」に相当する。なお、第３折り線２６上の開裂部２６ａは、清掃体用収容袋１０の一部によって構成され、当該収容袋と同一材料によって形成されるか、或いは清掃体用収容袋１０とは別体として構成され、当該収容袋とは別材料によって形成される。
【００２６】
上記のように、互いに対向する２つの第２延在面１２，１２のうち、一方の第２延在面１２がエッジシール部２１を介して清掃体用収容袋１０の自立性向上機能を実現し、他方の第２延在面１２が第３折り線２６の開裂部２６ａを介して清掃体１００の取り出し機能を実現する。従って、清掃体用収容袋１０は、陳列時や保管時等においては、図５が参照されるように、第３折り線２６に開裂部２６ａが設けられている側の第２延在面１２が上面（「天面」ともいう）となり、第３折り線２６に開裂部２６ａが設けられていない側の第２延在面１２が下面（「底面」ないし「接地面」ともいう）となるように配置されるのが好ましい。これにより、清掃体用収容袋１０から清掃体１００を取り出し易い設置態様を実現することができる。
【００２７】
上記構成の第３折り線２６上の開裂部２６ａは、当該第３折り線２６の延在方向に沿って貫通部と非貫通部が交互に配置され、全体として連続状に延在するミシン目によって構成されるのが好ましい。より好ましくは、このミシン目において貫通部が概ね３．０ｍｍに設定され、且つ非貫通部が概ね１．０ｍｍに設定される。特に、開裂部２６ａをこのようなミシン目を用いて構成することで、開口部１０ｂを収容袋に簡便に設けることが可能となる。この場合、一方の第２延在面１２は、長尺状の開口部１０ｂを挟んでその両側に２つの分断片１２ａ，１２ｂに分断されるが、当該分断片は、エッジシール部（山折り部）２１の剛性によって収容袋内側へと延在した状態が維持されるように構成されている。従って、これら分断片１２ａ，１２ｂは、開口部１０ｂを通じて取り出し中の清掃体とは別の清掃体と干渉することによって、別清掃体を収容空間１０ａに留まらせる保持機能、或いは別清掃体が収容空間１０ａ外へと離脱するのを規制するストッパー機能を果たす。ここでいう分断片１２ａ，１２ｂが、本発明における「分断片」に相当する。これにより、使用者の意図に反して一度に多くの清掃体１００が取り出されるのを阻止でき、清掃体１００を一枚ずつ（１シートずつ）確実に取り出すことが可能となる。
【００２８】
上記構成の清掃体用収容袋１０を製造する場合、例えば以下のステップを用いることができる。まず、平坦状の１片のフィルムの４箇所（後に第１延在面１１と第２延在面１２との境界部となる部位）に前記のエッジシール部２１を設けるステップ（第１のステップ）を行う。このステップでは、前述のように溶着性フィルムを合掌状に山折りして溶着することによってエッジシール部２１が形成される。
【００２９】
第１のステップに引き続いて、或いは並行して、フィルムの２箇所（後に第２延在面１２となる部位）に前記の第３折り線２６を設けるとともに、更に一方の第３折り線２６に開裂部２６ａを設けるステップ（第２のステップ）を行う。この第２のステップでは、前述のように溶着性フィルムを溶融・硬化させて形付けすることによって第３折り線２６が形成され、ミシン目加工によって開裂部２６ａが形成される。
【００３０】
第２のステップに引き続いて、平坦状の１片のフィルムを筒状に丸めて重なり部分を溶着することによって、後に第１延在面１１となる部位に前記の背張りシール部２２を備える筒状部材を形成しつつ、複数の清掃体１００を積層させた積層体を当該筒状部材の筒内に挿入するステップを行う（第３のステップ）。この場合、背張りシール部２２は、第２の方向Ｄ１に関する第１延在面１１の中央部分にて第３の方向Ｄ３に延在するように構成されるのが好ましい。これにより、清掃体１００が背張りシール部２２に噛み込まれにくい。
【００３１】
第３のステップの後に、筒状部材の２つの開口端部を密封するべく前記のエンドシール部２３を形成するステップ（第４のステップ）を行う。この第４のステップでは、筒状部材の開口端部を溶着することによってエンドシール部２３を形成し、また前記の第１折り線２４を形成した上で、エンドカットを行う。上記の各ステップを経て製造された清掃体用収容袋１０は、廃棄時等において解体する必要がなく捨て易い。
【００３２】
清掃体１００は、不織布及び繊維を含む所定厚みのシート状部材（シート状の清掃体シート）として構成される。ここでいう清掃体１００が、本発明における「清掃体」に相当する。また、この清掃体１００が前記構成の清掃体用収容袋１０に収容された収容体（パッケージ）が、本発明における「清掃体パッケージ」に相当する。この清掃体１００は、具体的には、図８に示すように、所定の長手方向（長辺の延在方向）に長尺状に延在するような平面視が略長方形ないし略正方形のシート体として構成される。この清掃体１００では、繊維束からなる三層構造の繊維シート１０１，１０１，１０１の片面に不織布からなる不織布シート１０２が重ねられて、当該繊維シート及び不織布シートが接合線１０３を介して互いに接合されている。この清掃体１００として、典型的には比容積が比較的大きい１０〜６０ｃｍ３／ｇの範囲のものを用いることができる。本実施の形態によれば、前述のエッジシール部２１により清掃体用収容袋１０の保形性を高める効果によって、このように比容積が比較的大きい清掃体１００であっても、当該清掃体１００の嵩やふわふわ感を維持した状態での収容が可能となる。なお、図８に示す清掃体１００の変更の実施形態として、三層構造の繊維シート１０１，１０１，１０１の両面のうち、不織布シート１０２が重ねられている一方の面とは反対側の面に、不織布シート１０２と同様の不織布シートを設けるように構成することもできる。
【００３３】
本実施の形態では、複数の清掃体１００は、不織布及び繊維を含む所定厚みの複数のシート状部材が積層された１又は複数の積層体を形成している。特に図１が参照されるように、上記構成の清掃体１００の複数が積層された積層体が第３の方向Ｄ３（長辺１４の延在方向）に２列で収容されているが、当該積層体が１列又は３列以上で収容されてもよい。この場合、清掃体１００による積層体の配列方向と長辺１４の延在方向とが合致しているため、清掃体用収容袋１０の長辺１４の寸法を適宜に設定することによって、清掃体１００（積層体）の数を容易に変更することが可能となる。
【００３４】
なお上記構成の清掃体１００には、当該清掃体を保持するホルダを挿入するための挿入部が設けられるのが好ましい。また、この清掃体１００は、清掃対象における被清掃領域のごみ、埃、塵ないし汚れを拭き取る拭き取り機能、被清掃物を掃き取る掃き取り機構、或いは被清掃物を掻き取る掻き取り機能を有するのが好ましい。また、この掃シート１００は、一回使用を目安とした使い捨てタイプとして、清掃対象における被清掃領域から除去した被清掃物を刷毛部において保持しつつ複数回の使用を目安として交換を行う使い捨てタイプとして、或いは洗濯などを行ったうえで繰り返し使用することが可能なタイプとして構成され得る。
【００３５】
（他の実施の形態）
なお、本発明は上記の実施の形態のみに限定されるものではなく、種々の応用や変形が考えられる。例えば、上記実施の形態を応用した次の各形態を実施することもできる。
【００３６】
上記実施の形態では、略直方体の４つの長辺１４上の全体にわたって、山折り部としてのエッジシール部２１を連続的に設ける場合について記載したが、本発明ではエッジシール部２１を長辺１４上の全体にわたって断続的に設けることもでき、また長辺１４上の一部にエッジシール部２１を連続的或いは断続的に設けてもよい。
【００３７】
また本実施の形態では、長辺１４上にフィルム厚みを厚くし、且つフィルム硬度を高めるような剛性化処理によってエッジシール部２１を形成する場合について記載したが、本発明では、長辺１４上や辺１５上に付与される剛性化処理は、フィルム厚みを厚くする剛性化処理と、フィルム硬度を高める剛性化処理のうちの少なくとも一方の処理によって行うことができる。このため、例えば長辺１４上にエッジシール部２１に代えて第２折り線２５のような折り線を設けることもでき、また辺１５上に第２折り線２５に代えてエッジシール部２１のような山折り部を設けることもできる。
【００３８】
また上記実施の形態では、清掃体用収容袋１０を１片の溶着性フィルムによって形成する場合について記載したが、本発明では、複数片の溶着性フィルムによって清掃体用収容袋１０を形成することもできる。また、溶着性フィルム以外の非溶着性フィルムを用い、当該非溶着性フィルムを接着剤等によって接合する構成を採用することもできる。
【００３９】
また上記実施の形態では、第３折り線２６上の全体にわたって開裂部２６ａが連続的に形成される場合について記載したが、本発明では開裂部２６ａを第３折り線２６上の全体にわたって断続的に設けることもでき、また第３折り線２６上の一部に開裂部２６ａを連続的或いは断続的に設けてもよい。
【００４０】
また上記実施の形態では、開裂部２６ａを貫通部と非貫通部が交互に配置されたミシン目によって構成する場合について記載したが、本発明では開裂部２６ａを、溝深さが第３折り線２６に沿って一定或いは可変とされた薄肉部（減肉部）として構成することもできる。また、ミシン目に代えて、マイクロジッパーやイージーオープン性を有する、異素材を張り合わせた構造を用いることもできる。
【００４１】
また上記実施の形態では、第２延在面１２に第３折り線２６或いは開裂部２６ａを含む第３折り線２６を設ける場合について記載したが、本発明では第１延在面１１に当該第３折り線を設けることもできる。また、当該第３折り線が第２延在面１２の第１の方向Ｄ１に関する中央部分において第３の方向Ｄ３へと延在する構成に代えて、この中央部分か外れた位置に当該第３折り線を設けることもできる。
【００４２】
また上記実施の形態では、２つの第２延在面１２，１２のうちの一方の第３折り線２６上のみに開裂部２６ａを設ける場合について記載したが、本発明では、２つの第２延在面１２，１２の双方の第３折り線２６上に開裂部２６ａを設けることもできる。また、本発明では、第３折り線２６から外れた位置に開裂部２６ａを設けるようにすることもできる。
【００４３】
上記実施の形態や種々の変更例の記載に基づいた場合、本発明では、以下の各態様を採用することができる。
【００４４】
（態様１）
「不織布及び繊維を含む複数の清掃体を収容するための清掃体用収容袋であって、
当該収容袋は、所定のフィルムによって略直方体に形成されており、また各辺のうち互いに平行に延在する４つの長辺上に設けられた第１の剛性領域と、前記４つの長辺を結ぶ辺上に設けられた第２の剛性領域と、前記複数の清掃体が収容される収容空間と、を備えることを特徴とする清掃体用収容袋」という態様（態様１）を採り得る。
【００４５】
（態様２）
「態様１に記載の清掃体用収容袋であって、
前記第１の剛性領域及び前記第２の剛性領域はいずれも、フィルム厚みを厚くする剛性化処理とフィルム硬度を高める剛性化処理のうちの少なくとも一方の処理によって形成されていることを特徴とする清掃体用収容袋」という態様（態様２）を採り得る。
【００４６】
（態様３）
「態様１又は２に記載の清掃体用収容袋であって、
当該収容袋は、溶着性フィルムによって構成され、
前記第１の剛性領域は、前記溶着性フィルムを前記長辺に沿って山折りし、その折り重なり部分を溶着することでフィルム厚みが厚くなり、且つフィルム硬度が高くなるような剛性化処理がなされた山折り部として構成されていることを特徴とする清掃体用収容袋」という態様（態様３）を採り得る。
【００４７】
（態様４）
「態様３に記載の清掃体用収容袋であって、
互いに隣接する２つの前記長辺によって区画された４つの延在面を含み、前記４つの延在面のうちの互いに対向する２つの対向面は、当該対向面が収容袋内側へと凹むように前記長辺の延在方向に形成された折り線を備え、前記山折り部は、前記対向面と交差する方向へと突出するように構成されていることを特徴とする清掃体用収容袋」という態様（態様４）を採り得る。
【００４８】
（態様５）
「態様４に記載の清掃体用収容袋であって、
前記２つの対向面のうちのいずれか一方の対向面は、当該対向面を前記折り線に沿って開裂させるための開裂部を有することを特徴とする清掃体用収容袋」という態様（態様５）を採り得る。
【００４９】
（態様６）
「態様５に記載の清掃体用収容袋であって、
前記２つの対向面のうちのいずれか一方の対向面は、当該対向面が前記開裂部にて開裂したときに形成される長尺状の開口部と、前記開口部を挟んでその両側に形成される分断片を含み、前記分断片は前記山折り部の剛性によって収容袋内側へと延在した状態が維持されるように構成されていることを特徴とする清掃体用収容袋」という態様（態様６）を採り得る。
【００５０】
（態様７）
「態様１から６のうちのいずれかに記載の清掃体用収容袋であって、
前記収容空間に比容積が１０〜６０ｃｍ３／ｇの前記清掃体が収容されることを特徴とする清掃体用収容袋」という態様（態様７）を採り得る。
【００５１】
（態様８）
「態様１から７のうちのいずれかに記載の清掃体用収容袋と、前記清掃体用収容袋の前記収容空間に収容された前記複数の清掃体とを有し、前記複数の清掃体は、不織布及び繊維を含む所定厚みの複数のシート状部材が積層された１又は複数の積層体を形成していることを特徴とする清掃体パッケージ」という態様（態様８）を採り得る。
【００５２】
（態様９）
「不織布及び繊維を含む複数の清掃体を収容するための清掃体用収容袋であって、
当該収容袋は、所定のフィルムによって略直方体に形成されており、また各辺のうち互いに平行に延在する４つの長辺上に設けられた第１の剛性領域と、前記複数の清掃体が収容される収容空間と、を備えることを特徴とする清掃体用収容袋」という態様（態様９）を採り得る。
【００５３】
（態様１０）
「態様９に記載の清掃体用収容袋であって、
更に、前記４つの長辺を結ぶ辺上に設けられた第２の剛性領域を備えることを特徴とする清掃体用収容」という態様（態様１０）を採り得る。
【００５４】
（態様１１）
「態様９又は１０に記載の清掃体用収容袋と、前記清掃体用収容袋の前記収容空間に収容された前記複数の清掃体とを有し、前記複数の清掃体は、不織布及び繊維を含む所定厚みの複数のシート状部材が積層された１又は複数の積層体を形成していることを特徴とする清掃体パッケージ」という態様（態様１１）を採り得る。
【符号の説明】
【００５５】
１０  清掃体用収容袋
１０ａ  収容空間
１０ｂ  開口部
１１  第１延在面
１２  第２延在面
１２ａ，１２ｂ  分断片
１３  第３延在面
１４  長辺
１５  辺
２１  エッジシール部（第１の剛性領域）
２２  背張りシール部
２３  エンドシール部
２４  第１折り線
２５  第２折り線（第２の剛性領域）
２６  第３折り線
２６ａ  開裂部
３１  ノッチ
３２  フック穴
１００  清掃体
１０１  繊維シート
１０２  不織布シート
１０３  接合線
Ｄ１  第１の方向
Ｄ２  第２の方向
Ｄ３  第３の方向
【図１】
0005890644.tif 000002
【図２】
0005890644.tif 000003
【図３】
0005890644.tif 000004
【図４】
0005890644.tif 000005
【図５】
0005890644.tif 000006
【図６】
0005890644.tif 000007
【図７】
0005890644.tif 000008
【図８】
0005890644.tif 000009